(57)【要約】      （修正有）【課題】患者の頭部領域の測定を可能にするＭＲＩ装置を提供する。【解決手段】ＭＲＩ装置１のクローズド型患者用開口部７は、第一の領域８において、ＭＲＩ装置１の中心軸１２に対して垂直な第一の内径９を含み、また第二の領域１０において、第一の内径９に対して平行に配置された第二の内径１１を含む。第一の内径９は第二の内径１１よりも小さく、第一の領域８は、少なくとも部分的に患者の頭部領域２を含み、第二の領域１０は、少なくとも部分的に患者のトルソ領域１４を含む。ＭＲＩ装置１が斜めに配置され、重力の方向１５に対するｚ方向において、ＭＲＩ装置１の中心軸１２は、２０度〜７５度の角度１６を含む。【選択図】図１
2018110865.tif 000002
【特許請求の範囲】
【請求項１】
少なくとも１つの主要な磁場ユニット（４）と、少なくとも１つの傾斜コイルアセンブリ（５）と、クローズド型患者用開口部（７）と、少なくとも１つの励起コイル（６）と、および少なくとも１つの受信コイルとを備える患者（３）の頭部領域（２）を測定するためのＭＲＩ装置（１）であって、前記ＭＲＩ装置（１）のクローズド型患者用開口部（７）が、第一の領域（８）において、前記ＭＲＩ装置（１）の中心軸（１２）に対して垂直な第一の内径（９）を含み、また第二の領域（１０）において、前記第一の内径（９）に対して平行に配置された第二の内径（１１）を含み、前記第一の内径（９）が前記第二の内径（１１）よりも小さく、前記第一の領域（８）が少なくとも部分的に、前記患者の前記頭部領域（２）を含み、前記第二の領域（１０）が少なくとも部分的に、前記患者のトルソ領域（１４）を含み、前記ＭＲＩ装置（１）が斜めに配置され、ここにおいて、前記ＭＲＩ装置（１）の前記中心軸（１２）が、重力の方向（１５）に対して２０度〜７５度の角度（１６）を含むことを特徴とするＭＲＩ装置（１）。
【請求項２】
前記第二の領域（１０）の前記第二の内径（１１）が、冠状に配置された前記患者の前記トルソ領域（１４）のショルダー軸（１７）に沿って配置されることを特徴とする請求項１に記載のＭＲＩ装置（１）。
【請求項３】
前記第一の領域（８）における前記患者用開口部（７）の第一の断面および／または前記第二の領域（１０）における第二の断面が、円形、楕円形または長方形の形状を含むことを特徴とする請求項１または２に記載のＭＲＩ装置（１）。
【請求項４】
前記患者用開口部（７）が、前記第一の領域（８）において、２５０ｍｍ〜６５０ｍｍの前記第一の内径（９）を含み、また前記第二の領域（１０）において、５００ｍｍ〜８００ｍｍの前記第二の内径（１１）を含むことを特徴とする請求項１〜３のいずれかに記載のＭＲＩ装置（１）。
【請求項５】
前記傾斜コイルアセンブリ（５）が、前記ＭＲＩ装置（１）内で前記患者用開口部（７）の周りに配置され、前記傾斜コイルアセンブリ（５）が、前記患者用開口部（７）の前記第一の領域（８）における第一の傾斜コイル内径（１９）と、前記第一の傾斜コイル内径（１９）に対して平行に配置された前記患者用開口部（７）の前記第二の領域（１０）における第二の傾斜コイル内径（２０）とを含み、ここにおいて、前記第一の傾斜コイル内径（１９）が前記第二の傾斜コイル内径（２０）よりも小さいことを特徴とする請求項１〜４のいずれかに記載のＭＲＩ装置（１）。
【請求項６】
前記傾斜コイルアセンブリ（５）が、前記第一の領域（８）（つまり、前記患者の前記頭部領域（２）を含む前記第一の領域（８））にのみ配置され、また前記トルソ領域（１４）を含む前記第二の領域（１０）が、前記傾斜コイルアセンブリ（５）に囲まれないことを特徴とする請求項１〜５のいずれかに記載のＭＲＩ装置（１）。
【請求項７】
前記患者用開口部（７）の前記第一の領域（８）が、少なくとも１５０ｍｍの長さを含むことを特徴とする請求項１〜６のいずれかに記載のＭＲＩ装置（１）。
【請求項８】
前記傾斜コイルアセンブリ（５）が、ｚ方向へのｚ傾斜コイルを含み、前記ｚ傾斜コイルが、円筒形に巻かれたコイル巻線を含み、ここにおいて、前記コイル巻線間の距離が、前記ｚ方向における前記ｚ傾斜コイルの長さを通じて変化することを特徴とする請求項１〜８のいずれかに記載のＭＲＩ装置（１）。
【請求項９】
前記ｚ傾斜コイルの前記コイル巻線の巻線密度が、前記ＭＲＩ装置の前記中心軸に対して垂直に配置された前記ｚ傾斜コイルの面に対して対称的に構成されることを特徴とする請求項８に記載のＭＲＩ装置（１）。
【請求項１０】
前記ｚ傾斜コイルの前記コイル巻線の巻線密度が、非対称であり、前記ｚ傾斜コイルの前記コイル巻線が、前記患者の前記頭部に向かって方向付けされた対向する側と比較して前記患者のトルソに向かって方向付けされた側面上に高い巻線密度を含むことを特徴とする請求項８に記載のＭＲＩ装置（１）。
【請求項１１】
患者シート（２２）が前記ＭＲＩ装置（１）に取り付けられ、前記患者シート（２２）が調節手段（２３）を含み、前記患者（３）が、前記患者シート（２２）上に配置され、また前記患者（３）の前記頭部（２）が少なくとも部分的に前記ＭＲＩ装置（１）の前記患者用開口部（７）の前記第一の領域（８）に配置されるまで進行軸（２４）に沿って前記調節手段（２３）によって前記ＭＲＩ装置（１）内に少なくとも部分的に前記患者（３）を移動することによって、撮影位置に置かれることを特徴とする請求項１〜１０のいずれかに記載のＭＲＩ装置（１）に対して患者を位置決めするための方法。
【請求項１２】
前記患者シート（２２）の前記調節手段（２３）が、前記撮影位置内に前記患者シート（２２）を置くためにユーザーによって機械的に調節されることを特徴とする請求項１１に記載の方法。
【請求項１３】
前記患者シート（２２）の前記調節手段（２３）が、前記撮影位置内に前記患者シート（２２）を置くために、少なくとも１つの電動機によって駆動され、制御ユニットによって制御されることを特徴とする請求項１１に記載の方法。
【発明の詳細な説明】
【技術分野】
【０００１】
本発明は、少なくとも１つの主要な磁場ユニット、少なくとも１つの傾斜コイルアセンブリ、患者用開口部、少なくとも１つの励起コイルおよび少なくとも１つの受信コイルを備える患者の頭部領域を測定するためのＭＲＩ装置に関する。
【背景技術】
【０００２】
患者を測定するための多くのＭＲＩ装置が従来技術から公知である。
【０００３】
DE 10 2009 027119 B4は、永久磁石、傾斜コイルおよび少なくとも１つの高周波コイルを有する頭部領域の撮影取得のためのＭＲＩシステムであって、磁場ユニットの高さが鉛直に配置された台上で調節可能であるＭＲＩシステムを開示する。磁場ユニットは追加的に、台の長軸方向軸に対して最大４５度回転することができる。患者は、測定の間座位であると仮定され、患者の頭部は、前頭部支持体およびイヤピースを用いて台に対して配置される。
【０００４】
このＭＲＩシステムに関して、ＭＲＩ装置に対する患者の位置決めは、患者が円筒形の患者用開口部内に移動されるという煩わしい手法で実施される。そのようにする場合、患者の頭部が測定され得るように、ＭＲＩシステムの高さ調節可能な腰掛けおよび鉛直に調節可能な台は手動で調節される。
【０００５】
DE 197 34 138 B2は、傾斜コイルアセンブリおよびＭＲＩ主コイルを備えるＭＲＩ装置を開示する。
【０００６】
US 2013/0023418 A1は、第一の段階および第二の段階からなる冷却システムを用いたＭＲＩ装置を開示する。
【０００７】
したがって、本発明の目的は、患者の頭部領域の測定を可能にするＭＲＩ装置であって、ＭＲＩ装置の寸法が可能な限りコンパクトであり、かつＭＲＩ装置に対する患者の快適な配置を可能にするＭＲＩ装置を提供することである。
【発明の概要】
【０００８】
本発明は、少なくとも１つの主要な磁場ユニット、少なくとも１つの傾斜コイルアセンブリ、患者用開口部、少なくとも１つの励起コイルおよび少なくとも１つの受信コイルを備える患者の頭部領域を測定するためのＭＲＩ装置に関する。ＭＲＩ装置のクローズド型患者用開口部は、第一の領域において、ＭＲＩ装置の中心軸に対して垂直な第一の内径を含み、また第二の領域において、第一の内径に対して平行に配置された第二の内径を含み、ここにおいて、第一の内径は第二の内径よりも小さい。第一の領域は、少なくとも部分的に患者の頭部領域を含み、一方で、第二の領域は、少なくとも部分的に患者のトルソ領域を含む。ＭＲＩ装置が斜めに配置され、ＭＲＩ装置の中心軸は、重力方向に対して２０〜７５度の角度を含む。
【０００９】
ＭＲＩ装置（磁気共鳴断層撮影装置）は、頭部を測定するための従来的なＭＲＩ装置である。ＭＲＩ装置は測定ボリュームを含み、対象の対象ボリュームは、対象を測定するためにこの測定ボリューム内に配置される。
【００１０】
従来のＭＲＩ装置において、測定は、主要な磁場上に一時的に変化するｘ、ｙおよびｚ傾斜磁場を重ね合わせることによって対象ボリューム内で実行される。対象における磁場は、対象における陽子のラーモア周波数が同程度に位置依存状態になる結果として、傾斜磁場により空間的に変化され得る。したがって、励起コイルによって生成される励起パルスによる陽子の励起の空間エンコーディングおよび／または陽子によって放出され、かつ受信コイルによって測定される測定信号の空間エンコーディングが、実行可能である。
【００１１】
従来的なＭＲＩ装置では、測定ボリュームのボクセルの空間エンコーディングが、選択された信号を個々のボリューム要素（ボクセル）に割り当てることで実行され、空間エンコーディングは線形位置依存磁場（傾斜磁場）によって生成される。これは、１つの特定の粒子に対して、ラーモア周波数が磁束密度に依存している（粒子の角運動量の方向に垂直な磁場成分が大きくなるほどラーモア周波数が大きくなる）という事実を利用している。
【００１２】
この点で、空間エンコーディングのために傾斜磁場を用いることについての１つの選択肢は、対象のスライスのみが適切なラーモア周波数を有する、つまり、このスライスのスピンのみが偏向するように、励起中の第一の傾斜を適用することである（スライス選択傾斜）。
【００１３】
第一の横方向の第二の傾斜は励起の後にすばやくスイッチオンされ、画像の各ラインにおいて異なる位相位置を有するスピンが歳差運動するように、制御されたスピンのディフェーズに影響を及ぼす（位相エンコーディング傾斜）。
【００１４】
測定の間、第三の傾斜は、２つのその他の方向と無関係に線形である方向に切り替えられる。第三の傾斜は、画像の各行のスピンが異なる歳差速度を有する、つまり、異なるラーモア周波数を送信することを確保する（読み出し傾斜、周波数エンコーディング傾斜）。
【００１５】
こうしてこの３つの傾斜は３つの空間平面において信号のエンコーディングをもたらす。受信した信号は、対象の特定のスライスに帰属し、周波数と位相エンコーディングの組み合わせを含有しており、これは、コンピュータがフーリエ変換で２次元画像に変換することができる。
【００１６】
傾斜コイルアセンブリはしたがって、第一のｘ傾斜コイル、第二のｙ傾斜コイルおよび第三のｚ傾斜コイルからなり、傾斜の傾斜軸は、互いと無関係に線形に配置される。
【００１７】
主要な磁場ユニットは、主要な磁場を発生させ、例えば、少なくとも１つの永久磁石、少なくとも１つの磁気コイル、または少なくとも１つの超伝導磁気コイルからなることができる。
【００１８】
患者用開口部は、所望の形状であることができ、例えば、円形、楕円形、または長方形の形状を含むことができる。患者用開口部は、特に患者の頭部領域がＭＲＩ装置の測定ゾーンに適合することができるように、十分に大きくあるべきである。
【００１９】
励起コイルおよび受信コイルは、別個のコイルであることができ、またはそれらは１つの無線周波コイルと組み合わされてもよい。
【００２０】
ＭＲＩ装置の中心軸は、例えば、実質的に円筒形のｚ傾斜コイルの軸と一致してもよい。中心軸はまた、患者用開口部の対称軸と一致してもよい。ＭＲＩ装置の中心軸はまた、主要な磁場ユニットの主要な磁場の対称軸と一致してもよく、または主要な磁場の対称軸と平行に方向付けられてもよい。
【００２１】
中心軸に対して垂直な第一の領域の第一の内径は、第二の領域の第二の内径に対して平行に配置される。第一の内径は、例えば、内部に適合するように患者の頭部に対して十分に大きくなるように選択されてもよく、一方で、第二の内径は、特に患者のショルダー領域またはトルソ領域が内部に適合するように選択されてもよい。
【００２２】
ＭＲＩ装置が斜めに配置され、ＭＲＩ装置の中心軸は、重力方向に対して２０度〜７５度の角度を含む。患者はしたがって、座位になり、傾斜角でＭＲＩ装置内に移動する。
【００２３】
本ＭＲＩ装置の１つの利点は、斜めに座った患者が快適に患者シート上に配置され得、また完全に自動的にＭＲＩ装置内に移動できることである。これは、患者にとって快適である寄り掛かりながら座った配置で、患者が患者シート上に位置し、ＭＲＩ装置内に移動することができるからである。
【００２４】
本ＭＲＩ装置のさらなる利点は、患者用開口部の段階的な構成がＭＲＩ装置のよりコンパクトな設計の実現を可能にすることである。これは、患者のショルダー領域およびトルソ領域が大きい内径をもつ第二の領域に適応できるからである。このことは、ショルダー領域における患者用開口部のサイズを制限することなくＭＲＩ装置の外部寸法をよりコンパクトかつより小さくすることを可能にする。
【００２５】
別の利点は、患者が装置内に移動した時にＭＲＩ装置の下部表面と患者のももまたはひざとの衝突が防がれることである。これは、ＭＲＩレイアウトの傾斜配置によって、ひざが患者の直立位置と同程度に曲がらず、またシステムの外部寸法が同じであるにもかかわらず、頭部の下方の患者用開口部の大きい内径によって、ももとひざのためにより多くの空間が得られるからである。
【００２６】
第二の領域の第二の内径は有利には、患者のトルソ領域の冠状に配置されたショルダー軸に沿って配置され得る。
【００２７】
冠状面は、前頭面であり、前方から人を見た時に可視的な動作の面を指す。
【００２８】
第二の領域の第二の内径はしたがって、大柄の患者のトルソ領域にも適応するようにトルソ領域のショルダー軸に沿って十分に大きくなるように選択される。
【００２９】
第一の領域における患者用開口部の第一の断面および／または第二の領域における第二の断面は有利には、円形、楕円形または長方形の形状を含むことができる。
【００３０】
第一の領域の第一の断面および第二の領域の第二の断面はしたがって、患者の頭部領域が第一の領域に適合し、また患者のトルソ領域が第二の領域に適合するように選択される。
【００３１】
患者用開口部は有利には、第一の領域において、２５０ｍｍ〜６５０ｍｍの第一の内径を含み、また第二の領域において、５００ｍｍ〜８００ｍｍの第二の内径を含むことができる。
【００３２】
第一の内径および第二の内径のこれらの寸法の選択の結果として、平均的な寸法の患者は、患者用開口部内に移動することができる。
【００３３】
傾斜コイルアセンブリは有利には、ＭＲＩ装置内で患者用開口部の周りに配置されてもよく、傾斜コイルアセンブリは、患者用開口部の第一の領域における第一の傾斜コイル内径と、第一の傾斜コイル内径に対して平行に配置された患者用開口部の第二の領域における第二の傾斜コイル内径とを含み、ここにおいて、第一の傾斜コイル内径は第二の傾斜コイル内径よりも小さい。
【００３４】
傾斜コイルアセンブリはしたがって、ｘ傾斜コイル、ｙ傾斜コイルおよびｚ傾斜コイルからなることができ、ｘ傾斜コイルおよびｙ傾斜コイルは、サドルコイルとして設計されてもよく、またｚ傾斜コイルは、円筒形に巻かれたコイル巻線を含むことができる。傾斜コイルアセンブリはしたがって、患者用開口部のクラッディングの後ろに直接的に取り付けられ得る。
【００３５】
患者用開口部の場合と同様に、第一の領域の第一の傾斜コイル内径はしたがって、第二の領域の第二の傾斜コイル内径よりも小さく、それにより、患者の頭部領域は、傾斜コイルアセンブリの第一の領域の近くに配置され、結果として、電圧供給の同一出力において、個別の傾斜コイルの傾斜磁場は強くなる。
【００３６】
傾斜コイルアセンブリは有利には、第一の領域に（つまり、患者の頭部領域に）のみ配置されてもよく、その結果、第二の領域（つまり、トルソ領域）は、傾斜コイルアセンブリに囲まれない。
【００３７】
傾斜コイルアセンブリはしたがって、患者の頭部領域にのみ配置され、こうしてＭＲＩ装置による患者の測定が患者の頭部領域においてのみ可能となる。
【００３８】
患者用開口部の第一の領域は有利には、少なくとも１５０ｍｍの長さを含むことができる。
【００３９】
結果として、ＭＲＩ装置の中心軸に沿った第一の領域の長さは、頭部領域に適合するために十分に長い。
【００４０】
傾斜コイルアセンブリは有利には、ｚ方向へのｚ傾斜コイルを含み、ｚ傾斜コイルは、円筒形に巻かれたコイル巻線を含み、ここにおいて、コイル巻線間の距離は、ｚ方向におけるｚ傾斜コイルの長さを通じて変化する。
【００４１】
結果として、円筒形に巻かれたコイル巻線の巻線密度は、主要な磁場のｚ方向に沿って変化する。
【００４２】
ｚ傾斜コイルのコイル巻線の巻線密度は有利には、ＭＲＩ装置の中心軸に対して垂直に配置されたｚ傾斜コイルの面に対して対称的に構成され得る。
【００４３】
ｚ傾斜コイルのｚ傾斜磁場はしたがって、同様に、この面に対して対称的に配置される。
【００４４】
ｚ傾斜コイルのコイル巻線の巻線密度は有利には、非対称であることができ、ｚ傾斜コイルのコイル巻線は、患者の頭部に向かって方向付けされた対向する側と比較して患者のトルソに向かって方向付けされた側面上に高い巻線密度を含む。
【００４５】
トルソ領域における高い巻線密度により、撮影中心に対するトルソ領域における傾斜コイルアセンブリの下部表面間の距離は、撮影中心に対する頭部領域における傾斜コイルアセンブリの上部表面の距離よりも短くてもよい。結果として、ＭＲＩ装置はよりコンパクトに構築され得る。
【００４６】
患者の頭部領域と患者のトルソ領域との間に与えられる移行は有利には、患者用開口部の第一の領域と第二の領域との間に形成され得る。
【００４７】
第一の領域と第二の領域との間の移行は、例えば、段階の形態で得ることができ、またはむしろｚＭＲＩ装置に対して３０度〜６０度の角度での傾斜移行の形態で得ることができる。
【００４８】
ＭＲＩ装置は有利には、サドルコイルとして設計され得るｘ傾斜コイルおよび／またはｙ傾斜コイルを含むことができる。
【００４９】
これは、ｘ方向およびｙ方向における正確な空間エンコーディングを可能にする。
【００５０】
主要な磁場ユニットは有利には、少なくとも１つの超伝導磁気コイルを含むことができ、これは磁気コイルの超伝導のために要求される温度を生成する冷却システムによって冷却される。
【００５１】
超伝導磁気コイルは、例えば、最大１１テスラまで可能である高い主要な磁場を作る。
【００５２】
冷却システムは有利には、冷却剤としてのヘリウムを有する低温槽を含むことができる。
【００５３】
冷却システムの効率的な冷却は、それによって実行可能になる。
【００５４】
主要な磁場ユニットは有利には、冷却されない少なくとも１つの永久磁石または少なくとも１つの磁気コイルを含むことができる。
【００５５】
したがって、冷却システムが要求されないので、結果として、ＭＲＩ装置がより複雑でなくなり、ひいてはより高い費用効果を生み出すことができる。
【００５６】
有利には、患者用開口部は追加的に、第三の断面および第一の内径に対して平行に配置されたＭＲＩ装置の中心軸に対して垂直な第三の内径をもつ第三の領域を含むことができ、第三の内径は、第二の領域の第二の内径より大きい。
【００５７】
第三の領域は、患者用開口部が段階的なピラミッドのような形状となるように、第二の領域の下方に、かつ第一の領域の下方に配置され得る。このようにして、第一の領域は患者の頭部を包含し、第二の領域は患者のショルダー領域を包含し、また第三の領域は患者の腹部領域および腰部領域を包含することができる。
【００５８】
本発明はさらに、前述のＭＲＩ装置に対して患者を位置決めするための方法に関し、患者シートはＭＲＩ装置に取り付けられ、ここにおいて、患者シートは調節手段を含む。患者は、患者シート上に配置され、また患者の頭部が少なくとも部分的にＭＲＩ装置の患者用開口部の第一の領域に配置されるまで進行軸に沿って調節手段によってＭＲＩ装置内に少なくとも部分的に患者を移動することによって、撮影位置に置かれる。
【００５９】
患者シートは、ＭＲＩ装置に固定自在に取り付けられ、調節手段によって患者（特に、ＭＲＩ装置の患者用開口部の第一の領域における患者の頭部）の正確な位置決めを可能にする。
【００６０】
この方法の１つの利点は、患者が調節手段によってＭＲＩ装置内に移動することであり、特に、患者の頭部がＭＲＩ装置の第一の領域内で制御されて配置されることである。例えば、誤った手動操作によって引き起こされ得るＭＲＩ装置内の患者の位置決め誤差がしたがって、防がれる。
【００６１】
ＭＲＩ装置が斜めに配置され、それによって、進行軸がＭＲＩ装置の中心軸に対する角度を含むことができ、それはＭＲＩ装置の中心軸に対して＋１０度〜−１０度の許容角度範囲内で配置される。
【００６２】
これは、患者がＭＲＩ装置内に移動する時に患者用開口部の内側壁と衝突しないことを確実にする。
【００６３】
撮影位置内に患者シートを置くために、患者シートの調節手段は有利には、ユーザーによって機械的に調節され得る。
【００６４】
したがって、患者シートを調節するために電動機または電子制御を設ける必要はない。
【００６５】
撮影位置内に患者シートを置くために、患者シートの調節手段は有利には、少なくとも１つの電動機によって駆動されてもよく、制御ユニットによって制御されてもよい。
【００６６】
患者シートはしたがって、患者の頭部が患者用開口部の第一の領域に到達するまで自動的に調節されてもよい。
【図面の簡単な説明】
【００６７】
本発明を図表の参照により説明する。図面は以下を示す。
【図１】図１は、頭部領域を測定するためのＭＲＩ装置である。
【実施例】
【００６８】
図１は、少なくとも１つの主要な磁場ユニット４、少なくとも１つの傾斜コイルアセンブリ５、励起コイルおよび受信コイルとして働く高周波コイル６、ならびにクローズド型患者用開口部７を備える患者３の頭部領域２を測定するためのＭＲＩ装置１を示す。クローズド型患者用開口部７は、第一の内径９をもつ第一の領域８および第二の内径１１をもつ第二の領域１０を含む。第一の内径９および第二の内径１１は、互いに平行に、かつ一点鎖線で表わされる中心軸１２に対して垂直に配置される。同時に、中心軸１２はまた、患者用開口部７の２つの円筒形領域８および１０の対称軸である。示される場合において、患者３はすでに、患者３の頭部２が第一の領域８に位置され、またショルダー領域１３および部分的にトルソ領域１４が患者用開口部７の第二の領域１０に位置されるように、ＭＲＩ装置内に配置されている。示されないｚ傾斜コイルのｚ方向にまた対応するＭＲＩ装置１の中心軸１２は、重力の方向１５に対する２０度〜７５度の角度１６を含む。この場合、患者用開口部７の第一の領域８および第二の領域１０は、円筒形である。第二の領域が楕円形断面をもつ場合、第二の領域の第二の内径は、交差として表わされるショルダー領域１３の冠状に配置されたショルダー軸１７に沿って測定されるであろう。第一の内径９は、例えば、２５０ｍｍ〜６５０ｍｍであることができ、第二の内径１１は、５００ｍｍ〜８００ｍｍであることができる。この場合における傾斜コイルアセンブリ５は、第一の領域８における傾斜コイルアセンブリ５が第二の領域１０における第二の傾斜コイル内径２０よりも小さい傾斜コイル内径１９をもつように、患者用開口部７のクラッディング１８の後ろに直接的に配置される。
【００６９】
患者用開口部７の第一の領域８の長さ２１は、少なくとも１５０ｍｍである。患者シート２２は、ＭＲＩ装置１に固定自在に取り付けられ、患者シート２２は、患者シート２２を進行軸２４に沿って移動させ得る調節手段２３を含む。患者３はしたがって、患者シート２２上に配置され、また患者３の頭部２が少なくとも部分的に第一の領域８に配置されるまで進行軸２４に沿って調節手段２３を用いてＭＲＩ装置１の患者用開口部７内に少なくとも部分的に患者３を移動することによって、示された撮影位置に置かれる。この場合における調節手段２３は、患者シートを作動する電動機を含み、電動機は、撮影位置内に患者シート２２を置くために制御ユニットによって適宜に制御される。この場合、進行軸２４の向きは、ＭＲＩ装置１の中心軸１２に対して平行である。ＭＲＩ装置１の傾斜配置の１つの利点は、衝突の可能性を減少することである。これは、患者が患者シートに寄り掛かりながら座った配置で、ＭＲＩ装置内に移動することができるからである。したがって、ＭＲＩレイアウト１の傾斜配置の結果として、ひざ２５が直立座位の患者と同程度に曲がらず、ひいては患者が装置内に移動する時のＭＲＩ装置１の下部表面２６と患者３のもも２７または患者３のひざ２５との衝突が防がれる。
【符号の説明】
【００７０】
１  ＭＲＩ装置
２  頭部領域
３  患者
４  主要な磁場ユニット
５  傾斜コイルアセンブリ
６  高周波コイル
７  患者用開口部
８  第一の領域
９  第一の内径
１０  第二の領域
１１  第二の内径
１２  中心軸
１３  ショルダー領域
１４  トルソ領域
１５  方向
１６  角度
１７  ショルダー軸
１８  クラッディング
１９  傾斜コイル内径
２０  第二の傾斜コイル内径
２１  長さ
２２  患者シート
２３  調節手段
２４  進行軸
２５  ひざ
２６  下部表面
２７  もも
【図１】
2018110865.tif 000003